(57)【要約】【課題】構造が簡単で製造容易で安価に製造できると共に、溝幅等の異なる複数種類の側溝にも容易に適用できる汎用性に富む側溝用蓋の固定装置を提供する。【解決手段】側溝の蓋体から側溝内に下方突設される連結体と、側溝内に配置されると共に連結体を介して蓋体に上下移動自在に連結される支持体と、支持体に設けられた圧接部材とを備え、支持体を側溝内で上方移動させることにより、圧接部材が側溝の内壁面に圧接して、支持体を側溝内で上方移動不能に固定するようにした側溝用蓋の固定装置において、前記圧接部材は支持体とは別体に構成され、下方揺動により圧接部材の先端部が側溝の内壁面に向けて徐々に強く圧接するように、圧接部材は支持体に上下揺動自在に支持され、下方揺動する方向に圧接部材に力を常時付与するための揺動力付与手段が設けられている。【選択図】図２
2006161520.tif 000002
【特許請求の範囲】
【請求項１】
側溝（１）の蓋体（５）から側溝（１）内に下方突設される連結体（６）と、側溝（１）内に配置されると共に連結体（６）を介して蓋体（５）に上下移動自在に連結される支持体（７）と、支持体（７）に設けられた圧接部材（８）とを備え、支持体（７）を側溝（１）内で上方移動させることにより、圧接部材（８）が側溝（１）の内壁面に圧接して、支持体（７）を側溝（１）内で上方移動不能に固定するようにした側溝用蓋の固定装置において、
前記圧接部材（８）は支持体（７）とは別体に構成され、下方揺動により圧接部材（８）の先端部が側溝（１）の内壁面に向けて徐々に強く圧接するように、圧接部材（８）は支持体（７）に上下揺動自在に支持され、下方揺動する方向に圧接部材（８）に力を常時付与するための揺動力付与手段が設けられていることを特徴とする側溝用蓋の固定装置。
【請求項２】
前記揺動力付与手段が、圧接部材（８）の自重により構成されるように、圧設部材（８）の揺動支点が、圧接部材（８）の重心よりも基端側に設けられていることを特徴とする請求項１に記載の側溝用蓋の固定装置。
【請求項３】
前記揺動力付与手段が、圧設部材（８）の先端側を下方側に付勢するバネ（６１）により構成されていることを特徴とする請求項１に記載の側溝用蓋の固定装置。
【請求項４】
前記連結体（６）は、蓋体（５）から下方突出されるねじ軸（１５）と該ねじ軸（１５）に螺合したナット（１６）とを備え、支持体（７）はねじ軸（１５）に上下移動自在に挿通され、ねじ軸（１５）とナット（１６）との相対回動により、ねじ軸（１５）に対して支持体（７）が上下移動するように、支持体（７）がナット（１６）上に配置されていることを特徴とする請求項１〜３のいずれかに記載の側溝用蓋の固定装置。
【発明の詳細な説明】
【技術分野】
【０００１】
本発明は、側溝の上端開口を塞ぐための側溝用蓋の固定装置に関するものである。
【背景技術】
【０００２】
例えば飲料水、たばこ等の自動販売機を設置する場合、宅地と道路との境界部分等に設けられた側溝上に自動販売機の一部を突出させて設置することがある。この場合、側溝の開口を蓋体で塞いで、この蓋体上に自動販売機の支持脚体を載置固定することが必要になり、この場合、蓋体がガタ付いたり側溝から蓋体が不測に外れたりしないように、蓋体を側溝に強固に固定することが必要である。
このような側溝の上端開口を塞ぐための側溝用蓋の固定装置には、図１２に示すように、側溝８１を塞ぐ蓋体８２から側溝８１内に下方突設された連結体（ねじ軸）８３と、側溝８１内に配置されると共に連結体８３を介して蓋体８２に上下移動自在に連結された支持体８４と、支持体８４に外方上がりに傾斜して設けられた一対の圧接部材８５とを備え、連結体８３を回動操作して支持体８４を側溝８１内で上方移動させることにより、圧接部材８５を側溝８１の内壁面に圧接して、支持体８４を側溝８１内で上方移動不能に固定するようにしたしたものがある。しかし、この種の従来の側溝用蓋の固定装置は、支持体８４の両側に可撓部８６を介して剛性を有する圧接部材８５を一体に形成していた（例えば特許文献１）。
【特許文献１】特開２００１−２０３６６号公報
【特許文献２】特開２０００−３４７０１号公報
【特許文献３】特開平１０−２９９０７１号公報
【特許文献４】特開平１０−５４０７７号公報
【発明の開示】
【発明が解決しようとする課題】
【０００３】
従って、従来の場合、支持体８４に可撓部８６を介して圧接部材８５を一体に形成していたため、蓋体８２で側溝８１の上端開口を塞いで、支持体８４を側溝８１内に配置した状態では、圧接部材８５の先端部が側溝８１の内壁面から離れていて、圧接部材８５が側溝８１の内壁面に接しておらず、このため、連結体８３を回動操作して、支持体８４を上方移動させる際に、圧接部材８５を外側方に伸張させて、圧接部材８５の先端部を側溝８１の内壁面に圧接させるように、圧接部材８５の先端側を下方に押さえるための案内部材８７を蓋体８２に設ける必要があり、このため蓋体８２の構造が複雑になって、側溝用蓋の固定装置全体の製造が面倒で製造費用も高く付いた。
【０００４】
また、支持体８４に圧接部材８５に一体に形成されているため、側溝８１の溝幅に合わせて支持体８４及び圧接部材８５の長さを設定しておく必要があるし、また、蓋体８２に、圧接部材８５の先端側を押さえるための案内部材８７を突設しているため、蓋体８２も側溝８１の溝幅に適合するように形成しておく必要があり、１つの側溝用蓋の固定装置は、溝幅が特定された１種類の側溝８１にしか取り付けることができず、汎用性に欠けるものであった。
本発明は、上記問題点に鑑み、構造が簡単で製造容易で安価に製造できると共に、溝幅等の異なる複数種類の側溝にも容易に適用できて汎用性に富む側溝用蓋の固定装置を提供することを目的とする。
【課題を解決するための手段】
【０００５】
この技術的課題を解決するための本発明の技術的手段は、側溝の蓋体から側溝内に下方突設される連結体と、側溝内に配置されると共に連結体を介して蓋体に上下移動自在に連結される支持体と、支持体に設けられた圧接部材とを備え、支持体を側溝内で上方移動させることにより、圧接部材が側溝の内壁面に圧接して、支持体を側溝内で上方移動不能に固定するようにした側溝用蓋の固定装置において、
前記圧接部材は支持体とは別体に構成され、下方揺動により圧接部材の先端部が側溝の内壁面に向けて徐々に強く圧接するように、圧接部材は支持体に上下揺動自在に支持され、下方揺動する方向に圧接部材に力を常時付与するための揺動力付与手段が設けられている点にある。
【０００６】
また、本発明の他の技術的手段は、前記揺動力付与手段が、圧接部材の自重により構成されるように、圧設部材の揺動支点が、圧接部材の重心よりも基端側に設けられている点にある。
また、本発明の他の技術的手段は、前記揺動力付与手段が、圧設部材の先端側を下方側に付勢するバネにより構成されている点にある。
また、本発明の他の技術的手段は、前記連結体は、蓋体から下方突出されるねじ軸と該ねじ軸に螺合したナットとを備え、支持体はねじ軸に上下移動自在に挿通され、ねじ軸とナットとの相対回動により、ねじ軸に対して支持体が上下移動するように、支持体がナット上に配置されている点にある。
【発明の効果】
【０００７】
本発明によれば、従来のように圧接部材の先端側を下方に押さえるための案内部材を蓋体に設ける必要がなくなり、側溝用蓋の固定装置の構造が簡単で製造容易になり、側溝用蓋の固定装置を安価に製造できるようになる。また、溝幅等の異なる複数種類の側溝にも容易に適用でき、汎用性に富むようになる。
【発明を実施するための最良の形態】
【０００８】
以下、本発明の実施の形態について図面を参照しながら説明する。
図１〜図４において、１は住宅の敷地や宅地と道路との境界部分に設けられた側溝で、コンクリート等により構成されている。２は側溝１の上端開口３を塞ぐための側溝用蓋の固定装置で、蓋体５から側溝１内に下方突設された連結体６と、側溝１内に配置された支持体７と、一対の圧接部材８とを備える。
蓋体５は鉄板等により側溝１の溝幅よりも大きい長方形の板状に形成され、側溝１の上端開口３を上側から塞いでいる。蓋体５の中央部に円形の取付孔１１が設けられ、この取付孔１１を塞ぐように蓋体５の下面に取付板１２が溶接等により固着され、取付板１２の中央に挿通孔１３が設けられている。
【０００９】
連結体６は、蓋体５から下方突出したねじ軸１５と該ねじ軸１５に螺合したナット１６とを備える。ねじ軸１５は頭部１５ａと軸部１５ｂとを有し、ねじ軸１５の頭部１５ａは、取付板１２上に載置されて、蓋体５の取付孔１１内に保持され、ねじ軸１５の軸部１５ｂは取付板１２の挿通孔１３に上側から挿通されて側溝１内に下方突出されている。ナット１６はねじ軸１５の下部に螺合されている。
支持体７は、角筒状のパイプ等により構成されている。支持体７は挿通孔１８を介してねじ軸１５に上下移動自在に外嵌されて、ナット１６上に配置されている。これにより、支持体７は、側溝１の溝幅方向に水平状に配置されると共に、連結体６を介して蓋体５に上下移動自在に連結されており、ねじ軸１５をナット１６に対して相対的に回動操作することにより、ねじ軸１５に対して支持体７がナット１６と共に上下移動するようになっている。
【００１０】
圧接部材８は支持体７とは別体に構成され、鉄等の金属やプラスチック等により上壁２１と一対の側壁２２とを有するコの字状に形成されている。一対の圧接部材８は支持体７の長手方向両側に、側溝１の溝幅方向両側の内壁面１ａに向けて突出状に設けられている。
圧接部材８の各側壁２２の基部側に挿通孔２０が側溝１の溝幅方向に離間して複数個ずつ設けられ、圧接部材８の基部側は支持体７内に配置され、圧接部材７の基部側は、各側壁２２に挿通孔２０を介して挿通したボルト２３と該ボルト２３に螺合したナット２４とにより、支持体７に横軸（ボルト軸）２５廻りに上下揺動自在に支持されている。これにより、各圧接部材７の先端側は、支持体７から側溝１の各内壁面１ａに向けてそれぞれ外方突出され、各圧接部材７は外方に向けて前上がりに傾斜した状態から、下方揺動することにより、圧接部材７の先端部が側溝１の内壁面１ａに向けて徐々に強く圧接するようになっている。また、前記複数の挿通孔２０のうちからボルト２３を挿通する１つの挿通孔２０を選択することにより、支持体７に対して、圧接部材８の溝幅方向への取り付け位置が変更可能になり、これにより、圧接部材８の先端側が支持体７から側溝１の内壁面に向けて突出する長さを調整できるようになっている。
【００１１】
圧接部材８の各側壁２２と支持体７の側壁との間に、ボルト２３の軸部（横軸２５）に外嵌した円筒状のカラー２６がそれぞれ設けられ、これにより、圧接部材８が支持体７に対してボルト２３の軸方向にガタ付かないように規制されている。
圧接部材７の各側壁２２の先端側端縁は外方上がりに傾斜されて、上壁２１の先端部が圧接部材７の先端部とされ、圧接部材７（上壁２１）の先端部は、図６に示すように鋸歯状に形成されると共に、図７に示すように先端に向けて徐々に肉薄になるように尖らされている。これにより、圧接部材７の先端部を側溝１の側壁面に圧接することにより、圧接部材７の先端部が側溝１の内壁面に食い込んで大きな接触抵抗が生じるように構成されている。
【００１２】
圧設部材８の揺動支点（横軸２５）が、圧接部材８の重心よりも基端側に設けられており、圧接部材８の自重が、圧接部材８を下方揺動させるように作用し、圧接部材８を下方揺動する方向に圧接部材８に力を常時付与するようになっている。従って、下方揺動する方向に圧接部材８に力を常時付与するための揺動力付与手段が圧接部材８の自重によって構成されている。
蓋体５に取付孔２７が側溝１の溝幅方向に間隔をおいて複数個設けられ、蓋体５の上面側に、自動販売機２９の支持脚体３０を回動可能に保持する固定具３１が設けられている。図１、図２、図５、図８及び図９に示すように、固定具３１は、金属又はプラスチック等により板状に形成され、固定具３１の中央部に取付長孔３２が設けられ、固定具３１の一端部に切り欠き凹部３３が設けられている。切り欠き凹部３３は、外端側の挿通部３３ａと中央側の嵌合部３３ｂとを有し、嵌合部３３ｂは挿通部３３ａの幅よりも大径の円形に形成されている。固定具３１の幅方向の両端部と長手方向の切り欠き凹部３３とは反対側の端部に、下方に折曲した折曲縁部３５が設けられ、固定具３１は折曲縁部３５を介して蓋体５上に設置されて、固定具３１の中央側及び切り欠き凹部３３側は蓋体５から浮いた状態になっている。固定具３１は、固定具３１の取付長孔３２及び蓋体５の取付孔２７を利用して、ボルトナット等の締結具３７により蓋体５の上面に着脱自在に締め付け固定され、複数の取付孔２７うちの１つの取付孔２７を選択することにより、蓋体５に対して固定具３１の固定位置が変更可能になっている。
【００１３】
図２に示すように、自動販売機２９の支持脚体３０は、販売機本体の底面に突設した雌ねじ部３９と、雌ねじ部３９に出退自在に螺合した雄ねじ部４０と備え、雄ねじ部４０は軸部４０ａと回転操作するための六角形状の頭部４０ｂとを有し、雄ねじ部４０の頭部４０ｂの下面に、頭部４０ｂよりも大径の設置板４１が溶接等により固着され、支持脚体３０は、雄ねじ部４０の回動操作により上下方向に伸縮調整自在とされている。
前記切り欠き凹部３３の挿通部３３ａの開口幅は、雄ねじ部４０の軸部４０ａの径よりも大きく、かつ雄ねじ部４０の頭部４０ｂの径よりも小さく形成され、切り欠き凹部３３の嵌合部３３ｂは雄ねじ部４０の頭部４０ｂよりもやや大きく形成されている。雄ねじ部４０の頭部４０ｂは固定具３１の切り欠き凹部３３の嵌合部３３ｂに遊嵌状に内嵌され、設置板４１は固定具３１と蓋体５との間に配置されて蓋体５上に載置されている。これにより、支持脚体３０の雄ねじ部４０は、固定具３１の切り欠き凹部３３の嵌合部３３ｂから抜脱不能であって、固定具３１に軸廻りに回動可能に保持されている。
【００１４】
上記実施の形態によれば、側溝１に側溝用蓋の固定装置２を装着する場合、例えば、蓋体５に連結体６を介して支持体７を連結し、支持体７に一対の圧接部材８を取り付けた状態で、支持体７を側溝１の溝幅方向に一致させて側溝１内を下方に移動させながら、蓋体５を側溝１の上端開口３を塞ぐように側溝１上に配置すればよい。このとき、側溝１内を支持体７が下方移動する際に、一対の圧接部材８は、自重により横軸２５廻りに下方揺動する力を常時受けているが、圧接部材８の先端部が側溝１の内壁面に接触して擦れながら側溝１内を下降し、圧接部材８が側溝１の内壁面に強く圧接することはなく、支持体７をスムーズに下方移動させることができる。
【００１５】
そして、その後は、ねじ軸１５に対してナット１６を上方移動させるべく、ねじ軸１５とナット１６とを相対回動するように操作し、これにより、支持体７を蓋体５に対して上方移動させればよい。このとき、一対の圧接部材８は、自重により横軸２５廻りに下方揺動する力を常時受けて、圧接部材８の下方揺動により圧接部材８の先端部は側溝１の内壁面に接した状態になっているため、圧接部材８は側溝１の内壁面１ａとの接触抵抗により、支持体７の上方移動に伴って、横軸２５廻りに下方揺動し、これにより圧接部材８の先端部がさらに側溝１の内壁面１ａに向かって突出して圧接部材８の先端部が側溝１の内壁面１ａに徐々に強く圧接して食い込み、支持体７の上方移動調整によって、支持体７が上方移動不能に強固に固定される。その結果、蓋体５が側溝１の上端開口３を上側から塞いだ状態で強固に固定される。
【００１６】
従って、圧設部材８の揺動支点が圧接部材８の重心よりも基端側に設けられて、下方揺動する方向に圧接部材８に力を常時付与するための揺動力付与手段が、圧接部材８の自重により構成されているので、従来のように、圧接部材８の先端側を下方に押さえるための案内部材を蓋体５に設ける必要がなくなり、このため蓋体５の構造が単純になって、側溝用蓋の固定装置２全体の製造が容易で製造費用も安上がりになる。また、圧接部材８は支持体７とは別体に構成され、圧接部材８は支持体７に上下揺動自在に支持されているので、支持体７に対して圧接部材８の取り付け位置を変更設定することにより、同一の形状及び大きさの支持体７及び圧接部材８を使用して、溝幅の異なる複数種の側溝１に適応することができるし、同一の支持体７に対して、異なる大きさや形状の圧接部材８を取り付けることによって、又は大きさや形状の異なる支持体７対して同一の圧接部材８を取り付けることによって、溝幅の相当異なる複数種の側溝１に対しても十分に適応できるようになり、側溝用蓋の固定装置２は、溝幅等の異なる複数種類の側溝１にも容易に適用できて汎用性に富むものとなる。
【００１７】
なお、側溝１に側溝用蓋の固定装置２を装着する場合に、例えば、蓋体５から連結体６、支持体７及び圧接部材８を取り外した状態で、蓋体５を側溝１の上端開口３を塞ぐように側溝１上に配置し、その後、ねじ軸１５の軸部１５ｂを蓋体５の上側から取付孔１３に挿通して、ねじ軸１５を蓋体５に下方突出状に保持し、一対の圧接部材８を取り付けた支持体７を、側溝１内でねじ軸１５にその下端から支持体７を外嵌した後、ナット１６をねじ軸１５の下端から螺合して、ナット１６上に支持体７を載せ、支持体７を連結体６を介して蓋体５に連結した状態にしてもよい。
【００１８】
次に、側溝１の上端開口３を塞いだ蓋体５に、自動販売機２９の支持脚部３０を載置固定するには、ボルトナット等の締結具３７を弛めて、固定具３１を緩く蓋体５に仮止めした状態にし、固定具３１の切り欠き凹部３３側を蓋体５からやや浮かしながら、支持脚体３０の雄ねじ部４０の軸部４０ａを切り欠き凹部３３の挿通部３３ａを挿通させて、雄ねじ部４０の頭部４０ｂを切り欠き凹部３３の嵌合部３３ｂに内嵌すると共に、設置板４１を蓋体５と固定具３１との間に配置し、その後締結具３７を締め付けて固定具３１を蓋体５に締め付け固定すればよく、蓋体５に、自動販売機２９の支持脚体３０を載置固定することができる。その後は、工具等を使用して、雄ねじ部４０の頭部４０ｂを回動操作して、自動販売機２９が水平になるように調整すればよく、自動販売機２９を、側溝１上に自動販売機２９の一部を突出させた状態に簡単かつ安定に設置することができる。
【００１９】
図１０は他の実施の形態を示し、圧接部材８の基端に突出片５１を突設し、支持体７の上壁に突出片５１に対応して、開口孔５２を設けており、支持体７の開口孔５２に上方から棒材５３等を挿入して、この棒材５３等で突出片５１を下方に押圧することにより、圧接部材８を横軸２５を支点に上方揺動させて、側溝１の内壁面に圧接して食い込んだ圧接部材８の先端部を容易に解除できるようにしている。また、圧接部材８の上壁の先端側に対応して、支持体７の上壁に挿通孔５５を設けると共にナット５６を固着し、ボルト５７を、支持体７の上壁に挿通孔５５を介して挿通してナット５６に螺合させている。この場合、ボルト５７を回動操作して、ボルト５７により接当部材８の先端側を強制的に下方に押圧できるようになっている。従って、圧接部材８の先端部の側溝１の内壁面への圧接が弱くて、支持体７の固定が甘いときに、ボルト５７の回動操作により、圧接部材８の先端部を側溝１の内壁面１ａに強く圧接して、支持体７を上方移動不能になるように強固に固定することができる。また、支持体７の外端部の側壁下部に、開口孔５９を設けて、この開口孔５９から支持体７内の圧接部材８の先端側の下方にドライバー等の工具を差し込んで、工具で圧接部材８の先端側を下側から上方に押圧し、これにより、圧接部材８を横軸２５を支点に上方揺動させて、側溝１の内壁面１ａに圧接して食い込んだ圧接部材８の先端部を容易に解除できるようにしている。その他の点は前記実施の形態の場合と同様の構成であり、前記実施の形態の場合と同様の作用効果を奏する。
【００２０】
図１１は他の実施の形態を示し、圧接部材８は、その外端縁がインボリュート曲線を描いた羽状に形成され、この圧接部材８をボルトナット等の固定具により、横軸２５廻りに回動自在に支持したものである。また、圧接部材８の外端縁部に鋸歯状の凹凸を形成すると共に、その凹凸の各突部を尖らせて、圧接部材８の外端縁が側溝１の内壁面１ａに食い込み易くなるようにしている。また、圧接部材８の下部外端側と支持体７との間にバネ６１を設け、このバネ６１により、圧接部材８を下方揺動するように常時付勢するようにし、バネ６１により、圧設部材８の先端側を下方側に付勢する揺動力付与手段を構成している。また、支持体７の上壁に、圧接部材８に対応して、開口孔６２を設けており、支持体７の開口孔６２に上方から棒材等を挿入して、圧接部材８を下方に押圧することにより、圧接部材８を横軸２５を支点に上方揺動又は下方揺動させて、側溝１の内壁面１ａに圧接して食い込んだ圧接部材８の先端部を容易に解除できるようにし、又は圧接部材８の先端部を側溝１の内壁面１ａに強く圧接して食い込ませることができるようにしている。また、支持体７の外端部の側壁下部に長孔状の開口孔６４を設けると共に、圧接部材８に開口孔６４に対応して係合凹部６５を設け、開口孔６４からドライバー等の工具を差し込んで圧接部材８の係合凹部６５に引っ掛け、圧接部材８を横軸２５を支点に上方揺動又は下方揺動させて、側溝１の内壁面１ａに圧接して食い込んだ圧接部材８の先端部を容易に解除できるようにし、又は圧接部材８の先端部を側溝１の内壁面１ａに強く圧接して食い込ませることができるようにしている。その他の点は前記実施の形態の場合と同様の構成であり、前記実施の形態の場合と同様の作用効果を奏する。
【００２１】
なお、前記実施の形態では、連結体６はねじ軸１５とナット１６とを備え、ナット１６はねじ軸１５の下部に螺合され、支持体７はねじ軸１５に上下移動自在に外嵌されて、ナット１６上に配置され、これにより、支持体７は連結体６を介して蓋体５に上下移動自在に連結されているが、これに代え、ナット１６を支持体７に溶接等により固着するようにしてもよい。また、ナット１６を省略し、支持体７（の挿通孔１８）にねじ軸１５が螺合する雌ねじを形成し、ねじ軸１５を支持体７に対して相対回動することにより、支持体７を上下移動させるようにしてもよい。また、連結体６は上記構成のものに限定されず、連結体６を互いに螺合した内外２重の筒体等で上下に伸縮自在に構成し、一方の筒体の下端に支持体７を装着して、連結体６の伸縮により、連結体６を介して蓋体５に支持体７を上下移動自在に連結するようにしてもよい。
【００２２】
また、前記実施の形態では、支持体７とは別体に構成された圧接部材８は一対設けられ、一対の圧接部材８は支持体７の長手方向両側に、側溝１の溝幅方向両側の内壁面１ａに向けて突出状に設けられているが、これに代え、圧接部材８を１つのみ設け、この圧接部材８を支持体７の一端側に、側溝１の溝幅方向一方側の内壁面１ａに向けて突出状に設けるようにしてもよい。この場合、圧接部材８を側溝１の溝幅方向一方の内壁面１ａに圧接させると同時に、支持体７の他端側を、側溝１の溝幅方向他方の内壁面１ａに圧接させるようにすればよい。
【００２３】
また、前記図１〜図９又は図１０の実施の形態では、圧接部材８の自重が、圧接部材８を下方揺動させるように作用し、圧接部材８を下方揺動する方向に圧接部材８に力を常時付与するようになっていて、図１１の実施の形態に示すように、バネ６１により、圧接部材８を下方揺動するように常時付勢するように構成していないが、これに代え、圧接部材８の自重により、圧接部材８を下方揺動させるように作用させることに加えて、図１１の実施の形態の場合と同様に、圧接部材８を下方揺動するように常時付勢するバネ６１を設け、圧接部材８の自重とバネ６１の付勢力の両方により、圧接部材８が下方揺動するように圧接部材８１に力を常時付与させるようにしてもよい。
【００２４】
また、前記実施の形態では、蓋体５上に自動販売機２９の支持脚体３０を載置するようにしているが、本発明が適用される蓋体５は、自動販売機２９を側溝１上に設置するためのものに限らず、要するに蓋体５は側溝１の上端開口３を塞ぐためのものであれば、本願発明の側溝用蓋の固定装置を広く適用することができる。
【図面の簡単な説明】
【００２５】
【図１】本願発明の一実施の形態を示す平面図である。
【図２】同図１のＡ−Ａ線断面図である。
【図３】同図１のＢ−Ｂ線断面図である。
【図４】同図２のＤ−Ｄ線断面図である。
【図５】同図１のＣ−Ｃ線断面図である。
【図６】同支持体及び圧接部材の平面図である。
【図７】同図６のＥ−Ｅ線断面図である。
【図８】同固定金具の平面図である。
【図９】同図８のＦ−Ｆ線断面図である。
【図１０】他の実施の形態を示す側断面図である。
【図１１】他の実施形態を示す側断面図である。
【図１２】従来例を示す側断面図である。
【符号の説明】
【００２６】
１      側溝
２      側溝用蓋の固定装置
３      上端開口
５      蓋体
６      連結体
７      支持体
８      圧接部材
１５      ねじ軸
１６      ナット
２９      自動販売機
３０      支持脚体
３１      固定具
６１      バネ
【図１】
2006161520.tif 000003
【図２】
2006161520.tif 000004
【図３】
2006161520.tif 000005
【図４】
2006161520.tif 000006
【図５】
2006161520.tif 000007
【図６】
2006161520.tif 000008
【図７】
2006161520.tif 000009
【図８】
2006161520.tif 000010
【図９】
2006161520.tif 000011
【図１０】
2006161520.tif 000012
【図１１】
2006161520.tif 000013
【図１２】
2006161520.tif 000014